(57)【要約】      （修正有）【課題】ワイシャツの袖部を十分強固に固定することが可能な紙製のクリップ形成用シートを提供する。【解決手段】１枚の紙製シートからなり、直線状の第１の側縁１１を有し、内部に開口１２を有する枠板２と、上記第１の側縁から延出し、上記第１の側縁で折り返される舌片３とを備え、上記舌片が、折り返された状態で上記開口に挿入される係止部１３を有し、上記開口に挿入された上記係止部と上記枠板との間にワイシャツの袖部を挟持可能である。【選択図】図１
0003225409.tif 000002
【実用新案登録請求の範囲】
【請求項１】
１枚の紙製シートからなり、
直線状の第１の側縁を有し、内部に開口を有する枠板と、
上記第１の側縁から延出し、上記第１の側縁で折り返される舌片と
を備え、
上記舌片が、折り返された状態で上記開口に挿入される係止部を有し、
上記開口に挿入された上記係止部と上記枠板との間にワイシャツの袖部を挟持可能なクリップ形成用シート。
【請求項２】
上記開口の内周縁が、上記第１の側縁と平行な第１部分と、上記第１部分の両端同士を接続し、上記第１の側縁の反対側に凸な第２部分とを有し、
上記舌片が折り返された状態で、上記第２部分と上記係止部とが離間しており、
上記第２部分と上記係止部との間隔が１ｍｍ以上６ｍｍ以下で均一である請求項１に記載のクリップ形成用シート。
【請求項３】
上記係止部が、上記舌片の基端側から先端側に向けて縮幅する縮幅部と、この縮幅部の先端縁から連続して設けられ、上記舌片の先端側に向けて拡幅する拡幅部とを有する請求項１又は請求項２に記載のクリップ形成用シート。
【請求項４】
上記舌片が、上記第１の側縁と上記係止部とを接続する接続部を有し、
上記接続部の平均幅が、上記係止部の最大幅以上である請求項１、請求項２又は請求項３に記載のクリップ形成用シート。
【請求項５】
上記接続部の延出方向長さが６ｍｍ以上１６ｍｍ以下であり、上記接続部と上記係止部との境界に折り曲げ容易線を有しない請求項４に記載のクリップ形成用シート。
【考案の詳細な説明】
【技術分野】
【０００１】
本考案は、クリップ形成用シートに関する。
【背景技術】
【０００２】
ワイシャツは、型崩れ防止のため、保形具によって固定された状態でパッキングされて販売される。具体的には、矩形状の台紙を挟んで胴体部分で折り返され、襟の内側に保形用のカラーを挿入されたうえで、複数のクリップによって固定された状態でパッキングされる。上述のクリップとしては、従来プラスチック製のものが用いられている。
【０００３】
一方で、今日では環境への影響等を考慮して、プラスチック製のクリップに代えて厚紙を用いたものが発案されている（実用新案登録第３１７０２６３号公報参照）。
【先行技術文献】
【特許文献】
【０００４】
【特許文献１】実用新案登録第３１７０２６３号公報
【考案の概要】
【考案が解決しようとする課題】
【０００５】
上記公報に記載の保形具は、ワイシャツの背面に重合する台紙を切り起こすことでクリップとして機能させている。具体的には、この保形具は、ワイシャツの袖部を台紙と切り起こし片との間に挟持することでこの袖部を固定可能に構成されている。
【０００６】
この保形具は、切り起こし片の折り曲げによる反力を利用してこの切り起こし片と台紙との間にワイシャツの袖部を挟持するものである。そのため、この保形具は、切り起こし片の反力が小さく、袖部を十分に固定し難い。
【０００７】
本考案は、このような不都合に鑑みてなされたものであり、紙製であり、かつワイシャツの袖部を十分強固に固定することが可能なクリップ形成用シートの提供を課題とする。
【課題を解決するための手段】
【０００８】
上記課題を解決するためになされた本考案に係るクリップ形成用シートは、１枚の紙製シートからなり、直線状の第１の側縁を有し、内部に開口を有する枠板と、上記第１の側縁から延出し、上記第１の側縁で折り返される舌片とを備え、上記舌片が、折り返された状態で上記開口に挿入される係止部を有し、上記開口に挿入された上記係止部と上記枠板との間にワイシャツの袖部を挟持可能である。
【考案の効果】
【０００９】
本考案に係るクリップ形成用シートは、ワイシャツの袖部を十分強固に固定することが可能である。
【図面の簡単な説明】
【００１０】
【図１】図１は、本考案の一実施形態に係るクリップ形成用シートを示す模式的平面図である。
【図２】図２は、図１のクリップ形成用シートから形成されるワイシャツ保形用クリップを示す模式的斜視図である。
【図３】図３は、図１のクリップ形成用シートの舌片を枠板の表面に折り返した状態を示す模式的平面図である。
【図４】図４は、図２のワイシャツ保形用クリップでワイシャツの袖部を挟持した状態を示す模式図である。
【考案を実施するための形態】
【００１１】
［本考案の実施形態の説明］
最初に本考案の実施態様を列記して説明する。
【００１２】
本考案に係るクリップ形成用シートは、１枚の紙製シートからなり、直線状の第１の側縁を有し、内部に開口を有する枠板と、上記第１の側縁から延出し、上記第１の側縁で折り返される舌片とを備え、上記舌片が、折り返された状態で上記開口に挿入される係止部を有し、上記開口に挿入された上記係止部と上記枠板との間にワイシャツの袖部を挟持可能である。
【００１３】
当該クリップ形成用シートは、上記枠板の第１の側縁から延出する舌片を枠板の表面に折り返し、この折り返し状態で、上記舌片の係止部を上記枠板の開口に挿入することでワイシャツ保形用クリップとして形成される。当該ワイシャツ保形用クリップは、上記開口に挿入された係止部と、上記枠板との間にワイシャツの袖部を挟み込むことができる。当該ワイシャツ保形用クリップは、上記係止部が上記枠板の上記舌片を折り返した側の面に戻ろうとする反力を利用してワイシャツの袖部を挟持することができるので、ワイシャツの袖部を十分強固に固定することができる。
【００１４】
上記開口の内周縁が、上記第１の側縁と平行な第１部分と、上記第１部分の両端同士を接続し、上記第１の側縁の反対側に凸な第２部分とを有し、上記舌片が折り返された状態で、上記第２部分と上記係止部とが離間しており、上記第２部分と上記係止部との間隔が１ｍｍ以上６ｍｍ以下で均一であるとよい。このように、上記開口の内周縁が、上記第１の側縁と平行な第１部分と、上記第１部分の両端同士を接続し、上記第１の側縁の反対側に凸な第２部分とを有し、上記舌片が折り返された状態で、上記第２部分と上記係止部とが離間しており、上記第２部分と上記係止部との間隔が上記範囲内で均一であることによって、上記係止部を上記開口に容易に挿入することができると共に、ワイシャツの袖部をより確実に固定することができる。
【００１５】
上記係止部が、上記舌片の基端側から先端側に向けて縮幅する縮幅部と、この縮幅部の先端縁から連続して設けられ、上記舌片の先端側に向けて拡幅する拡幅部とを有するとよい。このように、上記係止部が、上記舌片の基端側から先端側に向けて縮幅する縮幅部と、この縮幅部の先端縁から連続して設けられ、上記舌片の先端側に向けて拡幅する拡幅部とを有することによって、ワイシャツの袖部の上記係止部の幅方向への滑りを抑制し、この袖部をより確実に固定することができる。
【００１６】
上記舌片が、上記第１の側縁と上記係止部とを接続する接続部を有し、上記接続部の平均幅が、上記係止部の最大幅以上であるとよい。このように、上記舌片が、上記第１の側縁と上記係止部とを接続する接続部を有しており、上記接続部の平均幅が、上記係止部の最大幅以上であることによって、ワイシャツの袖部をより容易かつ確実に固定することができる。
【００１７】
上記接続部の延出方向長さが６ｍｍ以上１６ｍｍ以下であり、上記接続部と上記係止部との境界に折り曲げ容易線を有しないとよい。このように、上記接続部の延出方向長さが上記範囲内であり、上記接続部と上記係止部との境界に折り曲げ容易線を有しないことによって、ワイシャツの袖部をより容易かつ確実に固定することができる。
【００１８】
なお、本考案において、「第２部分と係止部との間隔」とは、舌片を枠板の表面に２つ折りに折り重ねた状態の平面視における第２部分と係止部との間隔を意味する。また、間隔が「均一」とは、間隔の最大値と最小値との差が１ｍｍ以下であることをいい、好ましくは０．５ｍｍ以下であることをいう。
【００１９】
［本考案の実施形態の詳細］
以下、適宜図面を参照しつつ、本考案の実施の形態を詳説する。
【００２０】
［クリップ形成用シート］
図１のクリップ形成用シート１は、１枚の紙製シートからなる。当該クリップ形成用シート１は、直線状の第１の側縁１１を有し、内部に開口１２を有する枠板２と、第１の側縁１１から延出し、第１の側縁１１で折り返される舌片３とを備える。舌片３は、折り返された状態で開口１２に挿入される係止部１３と、第１の側縁１１と係止部１３とを接続する接続部１４とを有する。当該クリップ形成用シート１は、折り返された係止部１３が開口１２に挿入されることで、係止部１３と枠板２との間にワイシャツの袖部を挟持可能な図２のワイシャツ保形用クリップ２０に形成される。
【００２１】
当該クリップ形成用シート１を構成するシート材としては、ワイシャツ保形用クリップ２０が十分な強度を保持できると共に、このワイシャツ保形用クリップ２０において開口１２に挿入された係止部１３が適度な反力を得られるよう、好ましくは厚紙が用いられる。
【００２２】
上記シート材の坪量の下限としては、３８０ｇ／ｍ２が好ましく、５００ｇ／ｍ２がより好ましい。一方、上記坪量の上限としては、１１００ｇ／ｍ２が好ましく、９００ｇ／ｍ２がより好ましい。上記坪量が上記下限に満たないと、ワイシャツ保形用クリップ２０の強度及び係止部１３の反力が小さくなり、ワイシャツの袖部を確実に固定できないおそれがある。逆に、上記坪量が上記上限を超えると、係止部１３の可撓性が不十分となり、係止部１３を枠板２の反対側に広げ難くなることで、係止部１３と枠板２との間にワイシャツの袖部を挟み難くなるおそれがある。
【００２３】
上記シート材の紙厚の下限としては、４００μｍが好ましく、５００μｍがより好ましい。一方、上記紙厚の上限としては、１５００μｍが好ましく、１０００μｍがより好ましい。上記紙厚が上記下限に満たないと、ワイシャツ保形用クリップ２０の強度及び係止部１３の反力が小さくなり、ワイシャツの袖部を確実に固定できないおそれがある。逆に、上記紙厚が上記上限を超えると、係止部１３の可撓性が不十分となり、係止部１３を枠板２の反対側に広げ難くなることで、係止部１３と枠板２との間にワイシャツの袖部を挟み難くなるおそれがある。
【００２４】
上記シート材の密度の下限としては、０．７５ｇ／ｃｍ３が好ましく、０．７７ｇ／ｃｍ３がより好ましい。一方、上記密度の上限としては、０．９０ｇ／ｃｍ３が好ましく、０．８５ｇ／ｃｍ３がより好ましい。上記密度が上記下限に満たないと、ワイシャツ保形用クリップ２０の強度及び係止部１３の反力が小さくなり、ワイシャツの袖部を確実に固定できないおそれがある。逆に、上記密度が上記上限を超えると、係止部１３の可撓性が不十分となり、係止部１３を枠板２の反対側に広げ難くなることで、係止部１３と枠板２との間にワイシャツの袖部を挟み難くなるおそれがある。
【００２５】
（枠板）
枠板２は、内部に開口１２を有する平面視概略長方形状である。第１の側縁１１は、枠板２において長手方向に延びる長辺を構成している。枠板２の長手方向長さとしては、例えば５ｃｍ以上１２ｃｍ以下とすることができる。枠板２の短手方向長さとしては、例えば３ｃｍ以上９ｃｍ以下とすることができる。
【００２６】
枠板２は、第１の側縁１１と平行に延び、開口１２の内周縁の一部を構成する第１部分１２ａを有する。また、枠板２は、第１部分１２ａの両端同士を接続し、第１部分１２ａと共に開口１２の内周縁を構成する第２部分１２ｂを有する。第２部分１２ｂは、第１の側縁１１の反対側に凸に設けられている。
【００２７】
枠板２は、長手方向の中心を基準として左右対称な形状とされる。枠板２の長手方向長さに対する第１部分１２ａの長さの比の下限としては、０．５が好ましく、０．６がより好ましい。一方、上記比の上限としては、０．８が好ましく、０．７がより好ましい。上記比が上記下限に満たないと、第１部分１２ａを支点として曲げられた場合における係止部１３の反力が不十分となるおそれがある。逆に、上記比が上記上限を超えると、開口１２が不必要に大きくなり、係止部１３と枠板２との間にワイシャツの袖部を適切に挟持し難くなるおそれや、ワイシャツ保形用クリップ２０の取扱性が低下するおそれがある。
【００２８】
（舌片）
舌片３は、第１の側縁１１で折り返された状態で枠板２の表面と重なり合う接続部１４と、接続部１４の先端縁から延出し、開口１２に挿入される係止部１３とを有する。当該クリップ形成用シート１は、紙製シートからなるので適度な可撓性を有している。そのため、当該クリップ形成用シート１は、舌片２が第１の側縁１１で折り返された状態で、係止部１３を開口１２に挿入すると、枠板２の接続部１４と重なり合う部分が接続部１４に押圧されることで適度に撓む。さらに、当該クリップ形成用シート１は、開口１２の第１部分１２ａを支点として係止部１３が適度に曲がる。当該クリップ形成用シート１は、係止部１３の反力に加えて、枠板２の撓み反力を利用することで、枠板２と係止部１３との間にワイシャツの袖部を挟み込むことができる。
【００２９】
〔接続部〕
接続部１４は、延出方向長さに対して幅の大きい矩形状であり、より具体的には長方形状である。
【００３０】
接続部１４の平均幅Ｗの下限としては、３．５ｃｍが好ましく、４．０ｃｍがより好ましい。一方、上記平均幅Ｗの上限としては、６．０ｃｍが好ましく、５．０ｃｍがより好ましい。上記平均幅Ｗが上記下限に満たないと、接続部１４が破損するおそれや、接続部１４と枠板２との当接面積が不十分となり、枠板２を撓ませ難くなるおそれがある。逆に、上記平均幅Ｗが上記上限を超えると、舌片３が不必要に大きくなり、ワイシャツ保形用クリップ２０の取扱性が低下するおそれがある。
【００３１】
接続部１４の延出方向長さＬは、枠板２の第１の側縁１１と第１部分１２ａとの間隔と等しい。接続部１４の延出方向長さＬの下限としては、６ｍｍが好ましく、８ｍｍがより好ましい。一方、上記延出方向長さＬの上限としては、１６ｍｍが好ましく、１４ｍｍがより好ましい。上記延出方向長さＬが上記下限に満たないと、枠板２の接続部１４と重なり合う部分の強度が不足して、この部分が破断するおそれがある。逆に、上記延出方向長さＬが上記上限を超えると、係止部１３を開口１２に挿入していった際に枠板２の接続部１４と重なり合う部分が撓み難くなるおそれがある。
【００３２】
〔係止部〕
図３に示すように、係止部１３は、舌片３が折り返された状態で枠板２の第２部分１２ｂと離間している。第２部分１２ｂと係止部１３との間隔は均一である。換言すると、係止部１３の外縁と第２部分１２ｂとは相似状である。
【００３３】
第２部分１２ｂと係止部１３との間隔Ｄの下限としては、１ｍｍが好ましく、２ｍｍがより好ましい。一方、上記間隔Ｄの上限としては、６ｍｍが好ましく、４ｍｍがより好ましい。上記間隔Ｄが上記下限に満たないと、ワイシャツの袖部を係止部１３の外縁と第２部分１２ｂとの間に挟み込み難くなり、この袖部が平面方向に滑りやすくなるおそれがある。逆に、上記間隔Ｄが上記上限を超えると、ワイシャツの袖部を係止部１３の外縁と第２部分１２ｂとの間に挟み込んだ状態での遊びが大きくなり過ぎて、ワイシャツの袖部が抜けやすくなるおそれがある。
【００３４】
係止部１３は、舌片３の基端縁側から先端側に向けて縮幅する縮幅部１３ａと、縮幅部１３ａの先端縁から連続して設けられ、舌片３の先端側に向けて拡幅する拡幅部１３ｂとを有する。係止部１３は、縮幅部１３ａ及び拡幅部１３ｂを有することで、両側縁に一対の凹部が形成される。これらの凹部はワイシャツの袖部の引っ掛かりとして機能する。その結果、当該クリップ形成用シート１は、ワイシャツの袖部の係止部１３の幅方向への滑りを抑制し、この袖部をより確実に固定することができる。
【００３５】
接続部１４の平均幅Ｗは、係止部１３の最大幅以上であることが好ましい。この構成によると、係止部１３の反力及び枠板２の撓み反力を大きくして、ワイシャツの袖部を容易かつ確実に固定することができる。なお、係止部１３は、その基端縁において幅が最も大きくなっている。当該クリップ形成用シート１において、係止部１３の基端縁以外の幅は、接続部１４の平均幅Ｗより小さいことが好ましい。
【００３６】
舌片３は、接続部１４と係止部１３との境界に折り曲げ容易線を有しないことが好ましい。当該クリップ形成用シート１は、上記折り曲げ容易線を有しないことで、係止部１３の反力を大きくして、係止部１３と枠板２との間にワイシャツの袖部を容易かつ確実に固定することができる。
【００３７】
（ワイシャツの袖部の固定例）
図４を参照して、当該クリップ形成用シート１から形成されるワイシャツ保形用クリップ２０によるワイシャツの袖部Ｘの固定例について説明する。当該ワイシャツ保形用クリップ２０は、ワイシャツの袖部Ｘを固定するセンターピンとして用いられる。当該ワイシャツ保形用クリップ２０は、ワイシャツの後身頃上に一対の袖部Ｘを折り畳んだ状態で、これらの袖部Ｘの重なり部分を挟持することでこれらの袖部Ｘを固定することができる。
【００３８】
＜利点＞
当該クリップ形成用シート１は、枠板２の第１の側縁１１から延出する舌片３を枠板２の表面に折り返し、この折り返し状態で、舌片３の係止部１３を枠板２の開口１２に挿入することでワイシャツ保形用クリップ２０として形成される。当該ワイシャツ保形用クリップ２０は、開口１２に挿入された係止部１３と、枠板２との間にワイシャツの袖部を挟み込むことができる。当該ワイシャツ保形用クリップ２０は、係止部１３が枠板２の舌片３を折り返した側の面に戻ろうとする反力を利用してワイシャツの袖部を挟持することができるので、ワイシャツの袖部を十分強固に固定することができる。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば上記開口の形状は上記実施形態に記載の形状に限定されるものではない。また、上記舌片を折り返した状態で、上記開口の内周縁は、上記係止部と部分的に重なっていてもよい。上記内周縁と上記係止部とが重なり合う場合、上記開口を通過した係止部が開口外に抜け出るのを上記内周縁によって防止することができる。その結果、当該ワイシャツ保形用クリップの取扱性を高めることができる。
【００４１】
上記係止部の形状は、特に限定されるものではなく、例えば基端縁から先端側に拡幅する拡幅部のみから構成されてもよい。
【００４２】
上記接続部の幅及び延出方向長さは特に限定されるものではない。
【産業上の利用可能性】
【００４３】
以上のように、本考案に係るクリップ形成用シートは、ワイシャツの袖部を十分強固に固定可能なワイシャツ保形用クリップとして好適に用いられる。
【符号の説明】
【００４４】
１  クリップ形成用シート
２  枠板
３  舌片
１１  第１の側縁
１２  開口
１２ａ  第１部分
１２ｂ  第２部分
１３  係止部
１３ａ  縮幅部
１３ｂ  拡幅部
１４  接続部
２０  ワイシャツ保形用クリップ
Ｄ  第２部分と係止部との間隔
Ｌ  接続部の延出方向長さ
Ｗ  接続部の平均幅
Ｘ  袖部
【図１】
0003225409.tif 000003
【図２】
0003225409.tif 000004
【図３】
0003225409.tif 000005
【図４】
0003225409.tif 000006